(57)【要約】【課題】故障したデジタル放送受信装置のＮＶＲＡＭの個人情報データを修理後のデジタル放送受信装置のＮＶＲＡＭで利用したり、買い換え前のデジタル放送受信装置のＮＶＲＡＭの個人情報データを買い換え後のデジタル放送受信装置のＮＶＲＡＭで利用したりすることが可能なデジタル放送受信装置を提供する。【解決手段】外部記憶装置と接続されたデジタル放送受信装置であって、個人情報を記憶するＮＶＲＡＭと、故障用バックアップ又は買い換え用バックアップを示すバックアップ条件を入力する入力手段と、前記入力手段が入力した前記バックアップ条件に基づいて、前記ＮＶＲＡＭに記憶された前記個人情報を前記外部記憶装置へ書き込む個人情報書込手段とを具備することを特徴とする。【選択図】図１
2005340882.tif 000002
【特許請求の範囲】
【請求項１】
外部記憶装置と接続されたデジタル放送受信装置であって、個人情報を記憶するＮＶＲＡＭと、故障用バックアップ又は買い換え用バックアップを示すバックアップ条件を入力する入力手段と、前記入力手段が入力した前記バックアップ条件に基づいて、前記ＮＶＲＡＭに記憶された前記個人情報を前記外部記憶装置へ書き込む個人情報書込手段とを具備することを特徴とするデジタル放送受信装置。
【請求項２】
前記個人情報書込手段は、前記バックアップ条件が買い換え用バックアップである場合、前記ＮＶＲＡＭに記憶された前記個人情報と共に、前記バックアップ条件を前記外部記憶装置へ書き込むことを特徴とする請求項１記載のデジタル放送受信装置。
【請求項３】
前記個人情報書込手段は、前記バックアップ条件が故障用バックアップである場合、前記ＮＶＲＡＭに記憶された前記個人情報と共に、前記バックアップ条件、書込日時情報及び受信機識別情報を前記外部記憶装置へ書き込むことを特徴とする請求項１記載のデジタル放送受信装置。
【請求項４】
前記外部記憶装置に記憶された前記書込日時情報を読み出す日時情報読出手段を更に備え、前記個人情報書込手段は、前記日時情報読出手段が読み出した前記書込日時情報が示す日付が現在日付である場合は、前記外部記憶装置への書き込みを行わないことを特徴とする請求項３記載のデジタル放送受信装置。
【請求項５】
前記外部記憶装置に記憶された前記受信機識別情報を読み出す識別情報読出手段と、前記外部記憶装置に記憶された前記個人情報を読み出す個人情報読出手段を更に備え、前記識別情報読出手段が読み出した前記受信機識別情報とデジタル放送受信装置の受信機識別情報が一致する場合に、前記個人情報読出手段が読み出した前記個人情報を前記ＮＶＲＡＭに記憶させることを特徴とする請求項３記載のデジタル放送受信装置。
【請求項６】
前記外部記憶装置に記憶された前記個人情報を読み出す個人情報読出手段を更に備え、デジタル放送受信装置が買い換え用バックアップ設定状態である場合に、前記個人情報読出手段が読み出した前記個人情報を前記ＮＶＲＡＭに記憶させることを特徴とする請求項２記載のデジタル放送受信装置。
【発明の詳細な説明】
【技術分野】
【０００１】
本発明は、デジタル放送受信装置に関し、更に詳しくは、ＮＶＲＡＭに記憶されたデジタル放送のデータ放送等にて取り扱われている個人情報データを、デジタル放送受信装置が故障したり買い換えたりした時にでも利用することが可能なデジタル放送受信装置に関する。
【背景技術】
【０００２】
従来、環境設定データや個人情報データを書き換え回数制限のあるＮＶＲＡＭ等の不揮発性記憶媒体に記憶する電子機器が公知である（例えば、特許文献１参照）。
【０００３】
前記電子機器は、ＮＶＲＡＭの書き換え回数をカウントし、書き換え回数が所定値に達した場合はＮＶＲＡＭへの書き換えを禁止すると共に、他の記憶媒体へＮＶＲＡＭに記憶されたデータを転送すると共に、ＮＶＲＡＭの交換を指示する。そして、ＮＶＲＡＭを交換した場合、交換後のＮＶＲＡＭに他の記憶媒体に記憶されたデータを書き込むことにより、交換前のＮＶＲＡＭに記憶されたデータを使用できるようにしている。
【特許文献１】特開２００２−１３３８８０号公報
【発明の開示】
【発明が解決しようとする課題】
【０００４】
しかしながら、上記従来の電子機器では、ＮＶＲＡＭの書き換え回数が所定値に達した場合のみＮＶＲＡＭのデータを他の記録媒体へ転送するため、ＮＶＲＡＭの書き換え回数が所定値に達しないときに機器が故障したりＮＶＲＡＭの交換を行った場合は、ＮＶＲＡＭに記憶されたデータは、交換後のＮＶＲＡＭに利用できないという問題があった。
【０００５】
本発明は、上記事情に鑑みて成されたもので、故障したデジタル放送受信装置のＮＶＲＡＭの個人情報データを修理後のデジタル放送受信装置のＮＶＲＡＭで利用したり、買い換え前のデジタル放送受信装置のＮＶＲＡＭの個人情報データを買い換え後のデジタル放送受信装置のＮＶＲＡＭで利用したりすることが可能なデジタル放送受信装置を提供することを目的とする。
【課題を解決するための手段】
【０００６】
本発明の請求項１に係るデジタル放送受信装置は、外部記憶装置と接続されたデジタル放送受信装置であって、個人情報を記憶するＮＶＲＡＭと、故障用バックアップ又は買い換え用バックアップを示すバックアップ条件を入力する入力手段と、前記入力手段が入力した前記バックアップ条件に基づいて、前記ＮＶＲＡＭに記憶された前記個人情報を前記外部記憶装置へ書き込む個人情報書込手段とを具備することを特徴とする。
【０００７】
また、本発明の請求項２に係るデジタル放送受信装置は、請求項１記載のデジタル放送受信装置の構成において、前記個人情報書込手段は、前記バックアップ条件が買い換え用バックアップである場合、前記ＮＶＲＡＭに記憶された前記個人情報と共に、前記バックアップ条件を前記外部記憶装置へ書き込むことを特徴とする。
【０００８】
また、本発明の請求項３に係るデジタル放送受信装置は、請求項１記載のデジタル放送受信装置の構成において、前記個人情報書込手段は、前記バックアップ条件が故障用バックアップである場合、前記ＮＶＲＡＭに記憶された前記個人情報と共に、前記バックアップ条件、書込日時情報及び受信機識別情報を前記外部記憶装置へ書き込むことを特徴とする。
【０００９】
また、本発明の請求項４に係るデジタル放送受信装置は、請求項３記載のデジタル放送受信装置の構成において、前記外部記憶装置に記憶された前記書込日時情報を読み出す日時情報読出手段を更に備え、前記個人情報書込手段は、前記日時情報読出手段が読み出した前記書込日時情報が示す日付が現在日付である場合は、前記外部記憶装置への書き込みを行わないことを特徴とする。
【００１０】
また、本発明の請求項５に係るデジタル放送受信装置は、請求項３記載のデジタル放送受信装置の構成において、前記外部記憶装置に記憶された前記受信機識別情報を読み出す識別情報読出手段と、
前記外部記憶装置に記憶された前記個人情報を読み出す個人情報読出手段を更に備え、前記識別情報読出手段が読み出した前記受信機識別情報とデジタル放送受信装置の受信機識別情報が一致する場合に、前記個人情報読出手段が読み出した前記個人情報を前記ＮＶＲＡＭに記憶させることを特徴とする。
【００１１】
また、本発明の請求項６に係るデジタル放送受信装置は、請求項２記載のデジタル放送受信装置の構成において、前記外部記憶装置に記憶された前記個人情報を読み出す個人情報読出手段を更に備え、デジタル放送受信装置が買い換え用バックアップ設定状態である場合に、前記個人情報読出手段が読み出した前記個人情報を前記ＮＶＲＡＭに記憶させることを特徴とする。
【発明の効果】
【００１２】
本発明により、ＮＶＲＡＭに記憶されたデジタル放送のデータ放送等にて取り扱われている個人情報データをデジタル放送受信装置が故障したり、買い換えたりした時にでも修理したデジタル放送受信装置や新しいデジタル放送受信装置で利用することが可能となる。
【００１３】
また、安易に書き換えを行なえないように制限をかけることにより、不正な書き換え行為を防ぐことが可能となる。
【発明を実施するための最良の形態】
【００１４】
（実施の形態１）
図１は、本発明の実施の形態１に係るデジタル放送受信機装置の構成を示すブロック図である。デジタル放送受信装置１０７は、デジタル放送のデータ放送等にて取り扱われている個人情報データ（ユーザが設定した住所、氏名、カードの番号、双方向番組で獲得したゲームやクイズのポイント、受信したＥＭＭメールなど）を記憶するＮＶＲＡＭ１０１、ＮＶＲＡＭ１０１や外部記憶機器１０５へのデータの書き込みを行なう書き込み処理部１０２、ＮＶＲＡＭ１０１に書き込まれたデータや外部記憶機器１０５に書き込まれたデータの読み込みを行なう読み込み処理部１０３、データ書き込み時にデータの比較や書き込みの制限を行なうデータ制御部１０４、ＮＶＲＡＭ１０１を一時的に保存する外部記憶機器１０５、マイコンＣＰＵ１０６、リモコン入力検知部１０８、操作用本体ボタン１０９、リモコンや本体ボタンでの操作の制御を行なう操作制御部１１０、操作の状態などの表示を行なう表示制御部１１１から構成される。
【００１５】
次に、ＮＶＲＡＭ１０１のデータを外部記憶機器１０５へ書き込む処理について、図２に示すフローチャートを用いて説明する。
【００１６】
まず、読み込み処理部１０３は、ＮＶＲＡＭ１０１から個人情報データを読み込む（Ｓ１）。次に、データ制御部１０４は、外部記憶機器１０５へ書き込みの目的が買い換え用バックアップのためか故障用バックアップのためかの判断を行なう（Ｓ２）。
【００１７】
データ制御部１０４が買い換え用バックアップか故障用バックアップの判断を行なうための情報は操作制御部１１０から通知される。操作制御部１１０はリモコン入力検知部１０８や操作用本体ボタン１０９からの入力に基づいて表示制御部１１１を用いて図４のような表示を行ない、その表示を見ながら選択を行なった結果をデータ制御部１０４に通知する。また、買い換え用バックアップ専用の本体ボタンや故障用バックアップ専用の本体ボタンを設け、それを操作することにより、操作用本体ボタン１０９からの入力に基づいて操作制御部１１０がその情報をデータ制御部に通知する。
【００１８】
書き込み目的が買い換え用バックアップの場合は（Ｓ２で「買い換え用バックアップ」）、書き込み処理部１０２は、ＮＶＲＡＭ１０１から読み込んだ個人情報データと書き込み目的「買い換え用バックアップ」という情報を外部記憶機器１０５へ書き込む（Ｓ４）。
【００１９】
一方、書き込み目的が故障用バックアップの場合は（Ｓ２で「故障用バックアップ」）、データ制御部１０４が、前回ＮＶＲＡＭ１０１から個人情報データを読み込んだ日付と現在の日付が同じかどうかの判断を行なう（Ｓ３）。この判断は不正な書き換えを防止するものであり、例えばデータ放送のクイズやゲームで高得点を取得した時にその得点を外部記憶機器１０５に記憶し、その後得点を失った時に不正に元の得点に書き換えを行うという操作ができないようにしている。本実施の形態１では、故障用バックアップは１日１回に限定し、外部記憶機器１０５への個人情報データの書き込み制限を行なっている。
【００２０】
そして、日付が異なる場合のみ（Ｓ３で「Ｎｏ」）、書き込み処理部１０２は、ＮＶＲＡＭ１０１から読み込んだ個人情報データと書き込み目的「故障時用バックアップ」という情報とデジタル放送受信装置１０７が機器毎に保有している固有データを外部記憶機器１０５へ書き込む。
【００２１】
次に、外部記憶機器１０５のデータをＮＶＲＡＭ１０１へ書き戻す処理について、図３に示すフローチャートを用いて説明する。
【００２２】
まず、読み込み処理部１０３は、外部記憶機器１０５から個人情報データと書き込み目的を読み込む（Ｓ１１）。次に、データ制御部１０４は、外部記憶機器１０５から読み込んだ書き込み目的の情報から、ＮＶＲＡＭ１０１への書き込みの目的が買い換え時の書き戻しのためか故障時の書き戻しのためかの判断を行なう（Ｓ１２）。
【００２３】
書き込み目的が買い換え時の書き戻しの場合は（Ｓ１２で「買い換え用書き戻し」）、データ制御部１０４は、デジタル放送受信装置１０７が買い換え用のバックアップデータの設定状態かどうかを判断する（Ｓ１６）。デジタル放送受信装置１０７が買い換え用のバックアップデータの設定状態である判断した場合は（Ｓ１６で「Ｙｅｓ」）、書き込み処理部１０２は、外部記憶機器１０５からの個人情報データをＮＶＲＡＭ１０１へ書き込む（Ｓ１７）。
【００２４】
一方、書き込み目的が故障時の書き戻しと判断した場合は（Ｓ１２で「故障用書き戻し」）、データ制御部１０４は、デジタル放送受信装置１０７が故障用バックアップ設定状態かどうかを判断する（Ｓ１３）。デジタル放送受信装置１０７が故障用バックアップの設定状態であると判断した場合は（Ｓ１３で「Ｙｅｓ」）、データ制御部１０４がデジタル受信装置１０７の機器毎の固有データと外部記憶機器１０５に書き込まれている機器毎の固有データが一致するかどうか判断する（Ｓ１４）。そして、一致すると判断した場合のみ（Ｓ１４で「Ｙｅｓ」）、書き込み処理部１０２が外部記憶機器１０５から読み込んだ個人情報データをＮＶＲＡＭ１０１へ書き込む。
【産業上の利用可能性】
【００２５】
本発明のデジタル放送受信機装置は、ＮＶＲＡＭに記憶されたデジタル放送のデータ放送等にて取り扱われている個人情報データをデジタル放送受信装置が故障したり、買い換えたりした時でも修理したデジタル放送受信装置や新しいデジタル放送受信装置で利用でき、また、安易に書き換えを行なえないように制限をかけることができるため、デジタル放送を受信するＡＶ機器全般に有用である。
【図面の簡単な説明】
【００２６】
【図１】本発明の実施の形態１におけるデジタル放送受信装置の構成を示すブロック図
【図２】本発明の実施の形態１におけるＮＶＲＡＭのデータを外部記憶機器へ書き込む処理を示すフローチャート
【図３】本発明の実施の形態１における外部記憶機器からＮＶＲＡＭへデータを書き戻す処理を示すフローチャート
【図４】本発明の実施の形態１におけるバックアップ選択を行うためのオンスクリーン表示例を示す図
【符号の説明】
【００２７】
１０１    ＮＶＲＡＭ
１０２    書き込み処理部
１０３    読み込み処理部
１０４    データ制御部
１０５    外部記憶機器
１０６    マイコンＣＰＵ
１０７    デジタル放送受信装置
１０８    リモコン入力検知部
１０９    操作用本体ボタン
１１０    操作制御部
１１１    表示制御部
【図１】
2005340882.tif 000003
【図２】
2005340882.tif 000004
【図３】
2005340882.tif 000005
【図４】
2005340882.tif 000006